(57)【要約】【課題】入力装置により形成される像と記録装置により形成される像との位置のずれを低減する。【解決手段】取得手段１１は、電子ペーパ２０に光を照射する光ペン３０の位置を取得する。取得手段１２は、光ペン３０の光軸の、電子ペーパ２０の表面に対する傾きを取得する。算出手段１３は、取得手段１１により取得された光ペン３０の位置、取得手段１２により取得された傾き、および電子ペーパ２０内の特定の層の厚みに基づいて、表示層における描画すべき位置（後述の結像位置）を算出する。露光手段１４は、表示層のうち、算出手段１３により算出された位置に対応する部分を露光する。【選択図】図８
2010231267.tif 000002
【特許請求の範囲】
【請求項１】
表示面と、前記表示面の背面側に設けられ、印加される電圧および前記表示面を介して照射される光に応じて表示が変化する表示層と、前記表示面と前記表示層との間に設けられた他の層とを有する表示媒体に、前記光を照射する入力装置の位置を取得する第１の取得手段と、
前記光の光軸の、前記表示面に対する傾きを取得する第２の取得手段と、
前記第１の取得手段により取得された前記入力装置の位置、前記第２の取得手段により取得された前記傾き、および前記他の層の厚みに基づいて、前記表示層の描画すべき位置を算出する算出手段と、
前記表示層のうち、前記算出手段により算出された位置に対応する部分を露光する露光手段と
を有する記録装置。
【請求項２】
前記表示媒体が、前記光の照射に応じて電気的特性が変化する感光層を有し、
前記算出手段は、前記入力装置の位置を通り前記傾きを有する直線が前記感光層とぶつかる領域が前記表示面上に射影される位置を、前記描画すべき位置として算出する
ことを特徴とする請求項１に記載の記録装置。
【請求項３】
前記算出手段は、前記表示面上において、前記射影される位置と前記入力装置の位置とを結ぶ線分を前記表示層に射影した線分上の位置を、前記描画すべき位置として算出する
ことを特徴とする請求項２に記載の記録装置。
【請求項４】
前記入力装置が照射する前記光の強度を制御する制御手段を有し、
前記傾きが、前記表示面の法線に対する前記光軸の傾きであり、
前記制御手段は、前記傾きがａ１およびａ２のとき（ａ１＜ａ２）の強度Ｐ１および強度Ｐ２が、Ｐ１＜Ｐ２となるように前記光の強度を制御する
ことを特徴とする請求項１−３のいずれかの項に記載の記録装置。
【請求項５】
表示面と、前記表示面の背面側に設けられ、印加される電圧および前記表示面を介して照射される光に応じて表示が変化する表示層と、前記表示面と前記表示層との間に設けられた他の層とを有する表示媒体に、前記光を照射する光照射手段と、
前記光照射手段の位置を取得する第１の取得手段と、
前記光の光軸の、前記表示面に対する傾きを取得する第２の取得手段と、
前記第１の取得手段により取得された前記入力装置の位置、前記第２の取得手段により取得された前記傾き、および前記他の層の厚みに基づいて、前記表示層の描画すべき位置を算出する算出手段と、
前記表示層のうち、前記算出手段により算出された位置に対応する部分を露光する露光手段に、前記算出手段により算出された位置を示す情報を出力する出力手段と
を有する入力装置。
【請求項６】
前記表示媒体が、前記光の照射に応じて電気的特性が変化する感光層を有し、
前記算出手段は、前記光照射手段の位置を通り前記傾きを有する直線が前記感光層とぶつかる領域が前記表示面上に射影される位置を、前記描画すべき位置として算出する
ことを特徴とする請求項５に記載の入力装置。
【請求項７】
前記算出手段は、前記表示面上において、前記射影される位置と前記光照射手段の位置とを結ぶ線分を前記表示層に射影した線分上の位置を、前記描画すべき位置として算出する
ことを特徴とする請求項６に記載の入力装置。
【請求項８】
前記光照射手段が照射する前記光の強度を制御する制御手段を有し、
前記傾きが、前記表示面の法線に対する前記光軸の傾きであり、
前記制御手段は、前記傾きがａ１およびａ２のとき（ａ１＜ａ２）の強度Ｐ１および強度Ｐ２が、Ｐ１＜Ｐ２となるように前記光の強度を制御する
ことを特徴とする請求項５−７のいずれかの項に記載の入力装置。
【請求項９】
請求項１−４のいずれかの項に記載の記録装置と、
前記入力装置と
を有する記録システム。
【請求項１０】
請求項５−８のいずれかの項に記載の入力装置と、
前記露光手段を有する記録装置と
を有する記録システム。
【発明の詳細な説明】
【技術分野】
【０００１】
本発明は、記録装置、入力装置および記録システムに関する。
【背景技術】
【０００２】
ペン型の入力装置を用いて、表示装置に軌跡を表示したり、位置を検出したりする技術が知られている。特許文献１は、なぞられた位置に筆跡を表示する液晶パネルにおいて、光センサと画素電極とをマトリクス状に配置し、これらと対向電極基板とで液晶層を挟む構造を開示している。特許文献２は、ペンタブレットシステムにおいて、ペンの傾きを検出し出力電位を校正することにより、より正確な座標を算出する技術を開示している。特許文献３は、ペンタブレットシステムにおいて、ペンの傾きを検出し出力電位を校正することにより、ペン先の位置と検知した座標のずれを防ぐ技術を開示している。
【先行技術文献】
【特許文献】
【０００３】
【特許文献１】特開２０００−２５９３４６号公報
【特許文献２】特開平６−１７５７７１号公報
【特許文献３】特開平５−２４１７１５号公報
【発明の概要】
【発明が解決しようとする課題】
【０００４】
本発明は、入力装置および記録装置を用いて追記を行う光書き込み型の記録媒体において、入力装置により形成される像と記録装置により形成される像との位置のずれを低減する技術を提供する。
【課題を解決するための手段】
【０００５】
請求項１に係る記録装置は、表示面と、前記表示面の背面側に設けられ、印加される電圧および前記表示面を介して照射される光に応じて表示が変化する表示層と、前記表示面と前記表示層との間に設けられた他の層とを有する表示媒体に、前記光を照射する入力装置の位置を取得する第１の取得手段と、前記光の光軸の、前記表示面に対する傾きを取得する第２の取得手段と、前記第１の取得手段により取得された前記入力装置の位置、前記第２の取得手段により取得された前記傾き、および前記他の層の厚みに基づいて、前記表示層の描画すべき位置を算出する算出手段と、前記表示層のうち、前記算出手段により算出された位置に対応する部分を露光する露光手段とを有する。
【０００６】
請求項２に係る記録装置は、請求項１に係る記録装置において、前記表示媒体が、前記光の照射に応じて電気的特性が変化する感光層を有し、前記算出手段は、前記入力装置の位置を通り前記傾きを有する直線が前記感光層とぶつかる領域が前記表示面上に射影される位置を、前記描画すべき位置として算出することを特徴とする。
【０００７】
請求項３に係る記録装置は、請求項２に係る記録装置において、前記算出手段は、前記表示面上において、前記射影される位置と前記入力装置の位置とを結ぶ線分を前記表示層に射影した線分上の位置を、前記描画すべき位置として算出することを特徴とする。
【０００８】
請求項４に係る記録装置は、請求項１−３のいずれかに係る記録装置において、前記入力装置が照射する前記光の強度を制御する制御手段を有し、前記傾きが、前記表示面の法線に対する前記光軸の傾きであり、前記制御手段は、前記傾きがａ１およびａ２のとき（ａ１＜ａ２）の強度Ｐ１および強度Ｐ２が、Ｐ１＜Ｐ２となるように前記光の強度を制御することを特徴とする。
【０００９】
請求項５に係る入力装置は、表示面と、前記表示面の背面側に設けられ、印加される電圧および前記表示面を介して照射される光に応じて表示が変化する表示層と、前記表示面と前記表示層との間に設けられた他の層とを有する表示媒体に、前記光を照射する光照射手段と、前記光照射手段の位置を取得する第１の取得手段と、前記光の光軸の、前記表示面に対する傾きを取得する第２の取得手段と、前記第１の取得手段により取得された前記入力装置の位置、前記第２の取得手段により取得された前記傾き、および前記他の層の厚みに基づいて、前記表示層の描画すべき位置を算出する算出手段と、前記表示層のうち、前記算出手段により算出された位置に対応する部分を露光する露光手段に、前記算出手段により算出された位置を示す情報を出力する出力手段とを有する。
【００１０】
請求項６に係る入力装置は、請求項５に係る入力装置において、前記表示媒体が、前記光の照射に応じて電気的特性が変化する感光層を有し、前記算出手段は、前記光照射手段の位置を通り前記傾きを有する直線が前記感光層とぶつかる領域が前記表示面上に射影される位置を、前記描画すべき位置として算出することを特徴とする。
【００１１】
請求項７に係る入力装置は、請求項６に係る入力装置において、前記算出手段は、前記表示面上において、前記射影される位置と前記光照射手段の位置とを結ぶ線分を前記表示層に射影した線分上の位置を、前記描画すべき位置として算出することを特徴とする。
【００１２】
請求項８に係る入力装置は、請求項５−７のいずれかに係る入力装置において、前記光照射手段が照射する前記光の強度を制御する制御手段を有し、前記傾きが、前記表示面の法線に対する前記光軸の傾きであり、前記制御手段は、前記傾きがａ１およびａ２のとき（ａ１＜ａ２）の強度Ｐ１および強度Ｐ２が、Ｐ１＜Ｐ２となるように前記光の強度を制御することを特徴とする。
【００１３】
請求項９に係る記録システムは、請求項１−４のいずれかに係る記録装置と、前記入力装置とを有する。
【００１４】
請求項１０に係る記録システムは、請求項５−８のいずれかに係る入力装置と、前記露光手段を有する記録装置とを有する。
【発明の効果】
【００１５】
請求項１に係る記録装置によれば、入力装置の位置に記録装置から追記を行う構成と比較して、入力装置により形成される像と記録装置により形成される像との位置のずれが低減される。
請求項２に係る記録装置によれば、記録装置により形成される像が、入力装置により形成される像と同じ位置に形成される。
請求項３に係る記録装置によれば、入力装置の位置に像が形成される。
請求項４に係る記録装置によれば、光の強度を制御する手段を有しない場合と比較して、記録媒体の単位面積あたりの光強度の変動が抑制される。
請求項５に係る入力によれば、入力装置の位置に記録装置から追記を行う構成と比較して、入力装置により形成される像と記録装置により形成される像との位置のずれが低減される。
請求項６に係る入力装置によれば、記録装置により形成される像が、入力装置により形成される像と同じ位置に形成される。
請求項７に係る入力装置によれば、入力装置の位置に像が形成される。
請求項８に係る入力装置によれば、光の強度を制御する手段を有しない場合と比較して、記録媒体の単位面積あたりの光強度の変動が抑制される。
請求項９に係る記録システムによれば、入力装置の位置に記録装置から追記を行う構成と比較して、入力装置により形成される像と記録装置により形成される像との位置のずれが低減される。
請求項１０に係る記録システムによれば、入力装置の位置に記録装置から追記を行う構成と比較して、入力装置により形成される像と記録装置により形成される像との位置のずれが低減される。
【図面の簡単な説明】
【００１６】
【図１ａ】実施形態に係る記録装置の構成の一例を示す図である。
【図１ｂ】実施形態に係る記録装置の構成の一例を示す図である。
【図２】実施形態に係る電子ペーパを上面から見た外観図である。
【図３】実施形態に係る電子ペーパの断面構造を示す図である。
【図４】カラー表示の原理を説明する図である。
【図５】表示層に印加される信号を例示する図である。
【図６】電子ペーパ２０への追記を例示する図である。
【図７】実施形態に係る記録装置の構成を示す図である。
【図８】実施形態に係る記録装置の機能構成を示す図である。
【図９】実施形態に係る光ペンの構成を示す図である。
【図１０】記録装置の動作を示すフローチャートである。
【図１１】デジタイザの検出位置と書き込み位置とのずれを示す図である。
【図１２】光ペンの傾きと光強度の参照テーブルを例示する図である。
【図１３】光ペンの光出力の特性を示す図である。
【図１４】他の実施形態に係る入力装置の機能構成を示す図である。
【発明を実施するための形態】
【００１７】
１．構成
図１ａおよび図１ｂは、本発明の一実施形態に係る記録システムの構成を示す図である。この記録システムは、記録装置１０、電子ペーパ２０および光ペン３０を有する。電子ペーパ２０は、記録装置１０に着脱可能である。図１ａは記録装置１０から電子ペーパ２０を外した状態を、図１ｂは記録装置１０に電子ペーパ２０を装着した状態を示している。電子ペーパ２０は、光書き込み型の表示媒体である。「光書き込み型」の表示媒体とは、表示媒体に表示される情報の書き替えの際に光照射が用いられる表示媒体をいう。記録装置１０は、電子ペーパ２０に画像の記録（書き込み）、および記録された画像の消去（初期化）を行う装置である。光ペン３０は、電子ペーパ２０に記録された画像に利用者が追記を行う際に用いられる入力装置である。
【００１８】
１−１．電子ペーパ２０
図２は、電子ペーパ２０を上面から見た外観図である。フレーム２１は、電子ペーパ２０の各構成を保持する。フレーム２１は、機械的な剛性と、電気的な絶縁性と、光学的な遮光性を有する樹脂で作られている。表示体２２は、画像の表示を行う構造体である。表示体２２は、記憶性液晶であるコレステリック液晶を有している。コレステリック液晶は双安定の物質であり、電圧等によりエネルギーが与えられていない状態でも光の反射率が異なる２つの配向状態のいずれかを維持することができる。コレステリック液晶分子の安定な配向には、プレーナ配向とフォーカルコニック配向とがある。プレーナ配向において、コレステリック液晶分子は、特定の波長帯の光を反射（ブラッグ反射）する。フォーカルコニック配向において、コレステリック液晶分子は、光を透過する。表示体２２は、原理的には、配向状態に応じた反射率の違いを利用して表示を行うものである。
【００１９】
図３は、電子ペーパ２０の断面、特に図２のIII−III線に沿った切断面の断面構造を示す図である。面２２ａは、表示体２２の上面（表示面）すなわち表面（第１の面）である。利用者は、面２２ａから画像を見る。また、利用者は、光ペン３０を用いて面２２ａ側から追記を行う。面２２ｂは、表示体２２の下面すなわち裏面（第２の面）である。記録装置２０は、面２２ｂ側から画像の消去や書き込みを行う。
【００２０】
保護層２１０および保護層２７５は、表示体２２の表面を保護する層である。この例において、保護層２１０および２７５は、ＰＥＴ（ポリエチレンテレフタレート）樹脂で作られている。
【００２１】
液晶層２３０と、液晶層２６０と、液晶層２６５は、特定の波長帯の光を反射する液晶分子を含む層である。この例で、液晶層２３０、液晶層２６０、および液晶層２６５は、それぞれ、赤、緑、青の光を反射する。液晶層２３０、液晶層２６０、および液晶層２６５においては、コレステリック液晶が用いられている。具体的には、これらの層において、バインダー樹脂中にマイクロカプセル状のコレステリック液晶表示素子が分散されている。光の反射率は、コレステリック液晶分子の配向状態に応じて変化する。コレステリック液晶分子の配向状態は、印加される電圧（より正確には、与えられる電力）に応じて変化する。
【００２２】
図４は、カラー表示の原理を説明する図である。図４において、縦軸は正規化された反射率を、横軸は液晶層に印加される電圧（駆動電圧）を示す。ここでは、赤、青、緑の３色の液晶層が積層された構成の表示体において、これら３つの液晶層全体に対して駆動電圧が印加される場合を例に説明する。曲線ＣR、ＣBおよびＣGは、それぞれ赤、青および緑の液晶層の反射率−電圧曲線を示す。電圧Ｖａ、Ｖｂ、Ｖｃ、Ｖｄ、Ｖｅ、ＶｆおよびＶｇは、各曲線におけるしきい値電圧を示す。しきい値電圧とは、正規化反射率が所定の値（例えば９０％および１０％）になる電圧である。例えば、電圧Ｖａは、曲線ＣRにおいて、正規化反射率が９０％になる電圧である。また、Ｖｂは、曲線ＣRにおいて正規化反射率が１０％になり、かつ曲線ＣBにおいて正規化反射率が９０％になる電圧である。図４の例ではこれらの電圧値が一致するように液晶層が設計されているが、曲線ＣRにおいて正規化反射率が１０％になる電圧と、曲線ＣBにおいて正規化反射率が９０％になる電圧とは異なっていてもよい。例えば電圧Ｖｆを印加すると、緑の光は透過されるが、赤および青は反射され、利用者には紫色に見える。このように、電圧値によって、各液晶層の反射／透過の組み合わせを選択できる。すなわち、しきい値が他の層とずれた反射率−電圧曲線を有する液晶層を複数積層し、一組の電極で挟むことで、この一組の電極間に与えられる信号によりカラー表示を行うことが、原理的には可能である。
【００２３】
図５は、表示層に印加される信号を例示する図である。この例では、表示層に対し信号ＶLCが印加されている。信号ＶLCにおいて、縦軸は電圧を、横軸は時間を示す。期間ｔ1および期間ｔ2において、信号ＶLCはそれぞれ電圧値が異なっている。これらの電圧値の組み合わせにより、３つの液晶層の配向状態の組み合わせが決定される。
【００２４】
再び図３を参照して説明する。図４で説明したように、原理的には赤、緑、青の３層を１組の電極で挟んだ構造によりカラー表示が可能である。しかし、この例で、電子ペーパ２０は、液晶層２６０（緑）および液晶層２６５（青）が１組の電極（透明電極２７０および透明電極２４５）に挟まれ、液晶層２３０（赤）が別の一対の電極（透明電極２３５および２１５）に挟まれた構造を有している。以下、透明電極２７０および２４５に挟まれた層を「第１の光アドレス層」、透明電極２３５および２１５に挟まれた層を「第２の光アドレス層」という。第１の光アドレス層と第２の光アドレス層はそれぞれ独立に制御される。また、以下において必要に応じて液晶層および感光層を含む層を「表示層」という。第１の光アドレス層および第２の光アドレス層はそれぞれ表示層の一例である。
【００２５】
第１の光アドレス層は、面２２ａ側から順に、液晶層２６５（青）、液晶層２６０（緑）および感光層２５５を有する。透明電極２７０および２４５は、第１の光アドレス層に電圧を印加するための電極である。透明電極２７０および２４５は、ＩＴＯ（Indium Tin Oxide：酸化インジウムすず）等、光を透過する（透明な）材料で作られている。感光層２５５は、特定の波長の光（例えば緑色の光）が照射されると電荷を生じて暗状態より低抵抗化する。この例で、感光層２５５は、有機感光体（Organic Photoconductor：ＯＰＣ）により形成されている。緑色の光が照射されると、暗状態よりも感光層２５５が低抵抗化するので、液晶層２６０および２６５にかかる電圧が増加する。感光層２５５は、ジブロモアントアントロン（ＤＢＡ）等の赤色（第１の光アドレス層で反射される色の補色）の光を透過する材料で形成されている。
【００２６】
液晶層２６５（青）および液晶層２６０（緑）の配向状態の制御は例えば以下のように行われる。まず、暗状態においてＶｅ＜Ｖ１Ｌ＜Ｖｆなる電圧Ｖ１Ｌが、光照射状態においてＶｇ＜Ｖ１Ｈなる電圧Ｖ１Ｈが液晶層２６５（青）および液晶層２６０（緑）に印加されるような、電圧Ｖ１が第１の光アドレス層に印加される。暗状態の部分については液晶層の配向状態が（Ｂ，Ｇ）＝（Ｐ，Ｆ）となり、光照射された部分については配向状態が（Ｂ，Ｇ）＝（Ｐ，Ｐ）となる。ここで、Ｐはプレーナ配向を、Ｆはフォーカルコニック配向を示す。（Ｂ，Ｇ）＝（Ｐ，Ｆ）は、液晶層２６５（青）の配向状態がプレーナ配向であり、液晶層２６０（緑）の配向状態がフォーカルコニック配向であることを示す（以下同様）。
【００２７】
次に、暗状態においてＶ２Ｌ＜Ｖｂなる電圧Ｖ２Ｌが、光照射状態においてＶｂ＜Ｖ２Ｈ＜Ｖｃなる電圧Ｖ２Ｈが液晶層２６５（青）および液晶層２６０（緑）に印加されるような、電圧Ｖ２が第１の光アドレス層に印加される。暗状態の部分については電圧Ｖ１による配向状態が維持される。光照射された部分については、液晶層２６５（青）の配向状態がフォーカルコニック配向となる。
【００２８】
第２の光アドレス層は、面２２ａ側から順に、液晶層２３０（赤）および感光層２２５を有する。透明電極２３５および２１５は、第２の光アドレス層に電圧を印加するための電極である。透明電極２３５および２１５は、ＩＴＯで作られている。感光層２２５は、特定の波長の光（例えば赤色の光）が照射されると電荷を生じて、暗状態よりも低抵抗化する。感光層２２５は、感光層２５５と同様に、ＯＰＣにより形成されている。感光層２２５は、チタニルフタロシアニン（ＴｉＯＰＣ）等の青〜緑色（第２の光アドレス層で反射される色の補色）の光を透過する材料で形成されている。液晶層２３０の配向状態の制御は、例えば以下のように行われる。暗状態においてＶ３Ｌ＜Ｖｃなる電圧Ｖ３Ｌが、光照射状態においてＶｄ＜Ｖ３Ｈなる電圧Ｖ３Ｈが液晶層２３０（赤）に印加されるような、電圧Ｖ３が第２の光アドレス層に印加される。
【００２９】
以上のように、光照射と電圧印加を組み合わせることにより、特定の層の特定の領域の液晶の配向を制御すること、すなわち、画像を形成することができる。なお上記の方法は、電子ペーパに対する書き込み方法（記録方法または配向状態の制御）のあくまで一例であり、液晶層と感光層とのインピーダンスの比などの特性に応じて、他の書き込み方法が用いられてもよい。また、画像の書き込みの前に液晶層を所定の配向状態にする（すなわち、それまでに描かれていた画像を消去する）リセット処理が行われてもよい。
【００３０】
絶縁層２４０は、透明電極２４５と透明電極２３５とを絶縁するための層である。この例で、絶縁層２４０はＰＥＴで形成されている。
【００３１】
なお、光ペン３０で追記を行わない記録システムにおいて、電子ペーパは、液晶層２６０と感光層２５５との間、および液晶層２３０と感光層２２５との間に、それぞれ光吸収層を有していてもよい。液晶層２６０と感光層２５５との間の光吸収層は、液晶層２６５および２６０で反射される波長帯の光（この例では青〜緑色）の光を吸収する層である。液晶層２３０と感光層２２５との間の光吸収層は、液晶層２３０で反射される波長帯の光（この例では赤色）の光を吸収する層である。本実施形態の電子ペーパ２０は光ペン３０で追記を行うためのものなので、光吸収層は有していない。
【００３２】
電極２３は、記録装置２０等の外部装置からの電気信号を受ける接点である。この例で電極２３は、電極２３ａ、２３ｂおよび２３ｃの３つの電極を有する。電極２３ｂは、グランド電位を与える電極である。電極２３ａおよび２３ｂにより第１の光アドレス層に電圧が印加され、電極２３ｂおよび２３ｃにより第２の光アドレス層に電圧が印加される。電極２３は、図１ｂに示すように電子ペーパ２０が記録装置１０に装着されると記録装置１０側の電極１４５と電気的に接触する位置に配置されている。
【００３３】
ＲＦタグ２４は、電子ペーパ２０の個別情報を記憶する記憶装置である。個別情報とは、例えば「所有者名」や、「書き換え回数累計値」や、「シリアルナンバー」など、電子ペーパ２０またはその利用者の属性を示す情報である。ＲＦタグ２４に記憶されている情報は、専用のリーダ／ライタにより読み出すことができる。
【００３４】
図６は、光ペン３０による電子ペーパ２０への追記（表示の書き替え）を例示する図である。信号Ｖ4および信号Ｖ5は、それぞれ、第１の光アドレス層および第２の光アドレス層に印加される電圧を示している。この例では、信号Ｖ4および信号Ｖ5ともＤＣ３００Ｖの電圧が５００ｍｓｅｃ印加されている。この電圧値は、第１の光アドレス層において液晶層２６０（緑）の配向をフォーカルコニックにするが、液晶層２６５（青）の配向は変化させない電圧値である。光強度ＬGおよび光強度ＬRは、それぞれ、緑色および赤色の光の強度を示している。この例では、１００μＷ／ｃｍ2の強度の緑色光および赤色光が、表示体２２に照射される。Ｂ−ＣｈＬＣ、Ｇ−ＣｈＬＣおよびＲ−ＣｈＬＣは、それぞれ、液晶層２６５（青）、液晶層２６０（緑）および液晶層２３０（赤）の配向状態を示している。Ｆはフォーカルコニック配向を、Ｐはプレーナ配向を示す。この例で、液晶層２６５（青）の配向状態は電圧印加および光照射の前後で変化しないが、液晶層２６０（緑）および液晶層２３０（赤）の配向状態は電圧印加および光照射によりフォーカルコニック配向に変化する。
【００３５】
図６中、下段の図は、電圧印加および光照射の前後の表示状態を示している。Ｂ、Ｃ、Ｇ、Ｙ、Ｗ、Ｍ、ＲおよびＫは、それぞれ、黒、シアン、緑、黄、白、マゼンタ、赤および黒を示している。例えば、赤が表示されていた領域は、３つの液晶層の配向状態は、（Ｒ，Ｇ，Ｂ）＝（Ｐ，Ｆ，Ｆ）である。この例では、電圧印加および光照射により液晶層２６０（緑）および液晶層２３０（赤）がフォーカルコニック配向となるので、３つの液晶層の配向状態は、（Ｒ，Ｇ，Ｂ）＝（Ｆ，Ｆ，Ｆ）となる。すなわち、赤が表示されていた領域は黒となる。同様に、電圧印加および光照射により、緑および黄の領域は黒となり、シアン、白およびマゼンタの領域は青となる。青および黒の領域は変化しない。このように、光ペン３０を用いることにより、黒または青の軌跡が電子ペーパ２０に記録される。
【００３６】
１−２．記録装置１０
図１ａを参照して、記録装置１０について説明する。筐体１１は、記録装置１０の各構成を保持する機能と、記録装置１０内部（特に電子ペーパ２０に記録を行う部分）に外光が侵入しないように遮光を行う機能と、利用者が電子ペーパ２０を記録装置１０に装着したときに電子ペーパ２０を保持する機能と有する。筐体１１は、この例においてはエンジニアリングプラスチックなどの樹脂で製作されている。
【００３７】
図７は、記録装置１０の構成を示す図である。制御部１１０は、記録装置１０の各要素を制御する制御装置である。この例で、制御部１１０は、演算装置としてのＣＰＵ（Central Processing Unit）や、記憶装置としてのＨＤＤ（Hard Disk Drive）、ＲＯＭ（Read Only Memory）、ＲＡＭ（Random Access Memory）や、入出力装置としてのＩ／Ｏポートを備えたコンピュータである。ＨＤＤやＲＯＭには、記録装置１０を制御するためのプログラムや各種のデータが記憶されている。ＣＰＵは、ＨＤＤやＲＯＭからプログラムを読み込んで実行することで記録装置１０の各部の動作を制御する。また、ＣＰＵは、プログラム実行時のワークエリアとしてＲＡＭを使用する。
【００３８】
操作パネル１１５は、利用者からの指示操作を受け付け、受け付けた操作に応じた信号を制御部１１０に出力する。操作パネル１１５は、ユーザが指示を入力するための装置、例えば電源スイッチやテンキーと、利用者への情報の提供を行うための表示装置、例えば表示ランプや液晶ディスプレイとを有する。
【００３９】
通信Ｉ／Ｆ１２０は、記録装置１０が光ペン３０等の外部機器とデータのやりとりを行うためのインターフェースである。この例において、通信Ｉ／Ｆ１２０は、無線通信を行う。
【００４０】
デジタイザ１２５は、光ペン３０のペン先の位置を検出する。この例においては、デジタイザ１２５として電磁誘導方式のセンサ等、公知の技術が用いられる。制御部１１０のＣＰＵは、デジタイザ１２５から取得した位置を示すデータを、光ペン３０が移動した軌跡のデータとしてＨＤＤに記憶する。デジタイザ１２５は、電子ペーパ２０が記録装置１０に装着された状態で、電子ペーパの表示面上の光ペン３０の位置を検出できる位置に設けられている。
【００４１】
ＲＦタグリーダライタ１３０は、電子ペーパ２０に内蔵されたＲＦタグ２４に書き込まれた情報の読み書きを行う。ＲＦタグリーダライタ１３０は、ＲＦタグ２４から読み出した情報を制御部１１０に出力する。また、ＲＦタグリーダライタ１３０は、制御部１１０の制御下でＲＦタグ２４に情報を書き込む。
【００４２】
電源１３５は、制御部１１０や、電極１４５（すなわち電子ペーパ２０）等に電力を供給する。着脱センサ１４０は、記録装置１０に電子ペーパ２０が装着されているか否かを検知し、検知した結果を電源１３５に出力する。この例においては、着脱センサ１４０として押しボタンスイッチが用いられる。図１ａに示すように、記録装置１０に電子ペーパ２０が装着されてなければ押しボタンスイッチは押されていない。図１ｂに示すように電子ペーパ２０が装着されると押しボタンスイッチは押される。電極１４５は、３つの端子を有する。各端子は、電子ペーパ２０の２３ａ、２３ｂおよび２３ｃにそれぞれ対応する。電極１４５は、電源１３５が発生した電圧の電子ペーパ２０への供給に用いられる。電極１４５は、図１ｂに示すように電子ペーパ２０が記録装置１０に装着されたときに電子ペーパ２０の電極２３と電気的に接触する位置に配置されている。
【００４３】
リアルタイムクロック１５０は、時間を計測する時計機能を有する。リアルタイムクロック１５０は、この情報を制御部１１０と、後述する環境温度履歴記録部１５５に出力する。環境温度履歴記録部１５５は、環境温度センサ１６０から取得した環境温度情報と、リアルタイムクロック１５０から取得した時間の情報を結びつけて内蔵メモリに記録する。また、環境温度履歴記録部１５５は、制御部１１０からの要求に応じて、記録した温度履歴情報を制御部１１０に出力する。環境温度センサ１６０は、記録装置１０の環境温度を測定し、測定した環境温度を環境温度履歴記録部１５５に出力する。
【００４４】
画像処理部１７０は、制御部１１０の制御下で、ＬＣＤパネル１９５に描画する画像を示す画像データを処理する。画像処理部１７０は、処理した画像データを画像バッファ１７５に出力する。画像処理部１７０における画像処理は、例えば、複数の画像や、画像と文字との重ね合わせや、表示色の変更などである。画像バッファ１７５は、画像データを記憶するＶＲＡＭ（Video Random Access Memory）である。
【００４５】
バックライト制御部１８０は、制御部１１０の制御下でバックライト１８５を駆動する。バックライト１８５は、バックライト制御部１８０の制御下で、ＬＣＤパネル１９５に照射する光を発生する。この例において、バックライト１８５の光は、赤色と緑色のスペクトルを含んでいる。具体的に、バックライト１８５は、白色光を発生する冷陰極管を含んでいる。
【００４６】
ＬＣＤ駆動１９０は、画像バッファ１７５に記憶された画像データを読み出し、読み出した画像データに従ってＬＣＤパネル１９５を駆動することにより、画像を表示させる。すなわち、ＬＣＤパネル１９５は、バックライト１８５からの光を選択的に透過する、透過型のカラー液晶パネルである。
【００４７】
図８は、記録装置１０の機能構成を示す図である。取得手段１１は、電子ペーパ２０に光を照射する光ペン３０の位置を取得する。取得手段１２は、光ペン３０の光軸の、電子ペーパ２０の表面に対する傾きを取得する。算出手段１３は、取得手段１１により取得された光ペン３０の位置、取得手段１２により取得された傾き、および電子ペーパ２０内の特定の層の厚みに基づいて、表示層における描画すべき位置（後述の結像位置）を算出する。露光手段１４は、表示層のうち、算出手段１３により算出された位置に対応する部分を露光する。この例で、算出手段１３は、光ペン３０から照射される光が感光層とぶつかる領域が表面上に射影される位置を、描画すべき位置として算出する。この例で、記録装置１０は、光ペン３０による追記に応じて、電子ペーパ２０の裏面から追記を行う。
【００４８】
制御手段１５は、光ペン３０が照射する光の強度を制御する。ここで、「傾き」は、電子ペーパ２０の表面の法線に対する光ペン３０の光軸の傾きである。制御手段１５は、傾きがａ１およびａ２のとき（ａ１＜ａ２）の強度Ｐ１および強度Ｐ２が、Ｐ１＜Ｐ２となるように光の強度を制御する。
【００４９】
この例で、光ペン３０の位置を取得するための命令群を実行している制御部１１０は取得手段１１の一例である。光ペン３０の傾きを取得するための命令群を実行している制御部１１０は取得手段１２の一例である。結増位置を算出するための命令群を実行している制御部１１０は算出手段の一例である。バックライト制御部１８０、バックライト１８５、ＬＣＤ駆動１９０およびＬＣＤパネル１９５は、露光手段の一例である。光ペン３０の光強度を制御するための命令群を実行質得る制御部１１０は、制御手段の一例である。
【００５０】
１−３．光ペン３０
図９は、光ペン３０の構成を示す図である。図９は、光ペン３０の断面を模式的に示した図である。この例で、光ペン３０は、ボールペンや鉛筆、万年筆といった筆記具に類似した形状をしており、利用者は筆記具を使う要領で電子ペーパ２０に書き込み（記録）を行う。
【００５１】
筐体３０５は、光ペン３０の各構成を保持する。この例における筐体３０５は、機械的な剛性と、電気的な絶縁性と、光学的な遮光性を有する樹脂で作られている。スイッチ３１０は、利用者から光ペン３０への指示の入力に用いられる。例えば、後述する手書き追記モードへの移行や、電源のオン・オフ、書き込み色の選択などの指示が、スイッチ３１０により入力される。スイッチ３１０は、操作に応じた信号を制御部３３５に出力する。バッテリ３１５は、光ペン３０の各構成に電力を供給する電源である。
【００５２】
通信モジュール３２０は、記録装置１０と通信を行うための装置である。通信モジュール３２０は、制御部３３５の制御下でアンテナ３２５を介して記録装置１０と無線通信を行う。アンテナ３２５は、通信に用いられる電波の送受信を行う。
【００５３】
加速度センサ３３０は、光ペン３０の光軸（すなわち、筐体３０５の長手方向）に対する加速度のＸ軸、Ｙ軸およびＺ軸成分を検出し、検出結果を制御部３３５に出力する３次元加速度センサである。制御部３３５は、制御や演算を行うＣＰＵと、記憶装置であるＲＯＭやＲＡＭと、入出力を行うＩ／Ｏポートを有する。ＣＰＵは、利用者が光ペン３０の電源投入を行うと、予めＲＯＭに記憶されている制御プログラムを読み出し、読み出した制御プログラムを実行して光ペン３０の制御を行う。ＣＰＵは作業領域としてＲＡＭを使用する。例えば、制御部３３５は、加速度センサ３３０から出力される加速度を用いて、光ペン３０の移動速度を算出する。
【００５４】
センサ３４０は、光ペン３０のペン先の筆圧を検出するセンサである。具体的には、センサ３４０は、光ペン３０のペン先（この例ではレンズ３６０）に加えられている圧力を検出し、検出結果を示す信号を制御部３３５に出力する。利用者が、光ペン３０を用いて電子ペーパ２０に書き込み（記録）を行うときはレンズ３６０が電子ペーパ２０に接触して圧力が加えられる。レンズ３６０に加わった圧力は、導光路３５５、光源３５０を介して、センサ３４０に伝えられる。センサ３４５は、光ペン３０のペン先と電子ペーパ２０の面２２ａとの距離があらかじめ決められたしきい値以下になったことを検出するセンサである。センサ３４５は、検出結果を制御部３３５に出力する。この例で、センサ３４５は、フォトダイオード等の受光素子を有する。センサ３４５は、電子ペーパ２０の面２２ａで反射された、光源３５０の光を受け、光強度に応じた信号を制御部３３５に出力する。制御部３３５は、距離センサから出力される信号により示される光強度があらかじめ決められたしきい値を超えると、ペン先と電子ペーパ２０との距離がしきい値（例えば５ｍｍ）以下になったと判断する。
【００５５】
光源３５０は、利用者が電子ペーパ２０に書き込み（記録）を行うための光を出力する。この例で、光源３５０は、電子ペーパ２０に赤色の書き込み行うための赤色光を発生するための赤色ＬＥＤと、青色と緑色の書き込みを行うための緑色光を発生するための緑色ＬＥＤを含んでいる。導光路３５５は、光源３５０が発生した光をレンズ３６０に導く。この例において、導光路３５５は、光の透過率の高い透明樹脂で構成されている。レンズ３６０は、光源３５０から出力された光を集光する。この例において、レンズ３６０は、光学ガラスで作られている。レンズ３６０により集光された追記光３６１は電子ペーパ２０の面２２ａに照射される。
【００５６】
２．動作
２−１．追記
図１０は、記録装置１０の動作を示すフローチャートである。図１０のフローは、例えば、ユーザが光ペン３０のスイッチ３１０を操作して電源をオンにしたことを契機として開始される。電源がオンにされると、光ペン３０は、その旨を示す信号を記録装置１０に出力する。
【００５７】
ステップＳ１０において、記録装置１０の制御部１１０は、初期化を行う。ここでいう「初期化」は、光ペン３０の速度を初期化（速度＝ゼロ）する処理を含む。この時点において、光源３５０から追記光３６１は照射されていない。
【００５８】
ステップＳ２０において、制御部１１０は、駆動電圧の印加を開始するように、電源１３５を制御する。駆動電圧は、記録装置１０の電極１４５と電子ペーパ２０の電極２３を介して、透明電極２４５と透明電極２７０との間（第１の光アドレス層）、および透明電極２１５と透明電極２３５との間（第２の光アドレス層）に印加される。制御部１１０は、第１の光アドレス層および第２の光アドレス層に対し、異なる電圧を印加するように、電源１３５を制御することができる。
【００５９】
ステップＳ３０において、制御部１１０は、ペン先の位置を検出する。ユーザは、光ペン３０を用いて電子ペーパ２０に追記をするため、光ペン３０のペン先を電子ペーパ２０に接触させる。光ペン３０のペン先が電子ペーパ２０に接触すると、センサ３４０は、光ペン３０のペン先に圧力が加えられていることを検出する。ペン先の圧力を検出すると、センサ３４０は、通信モジュール３２０を介して、ペン先に圧力が加えられた旨を示す信号を記録装置１０に出力する。センサ３４０からの信号を受けると、記録装置１０の制御部１１０は、光ペン３０の位置を検出し、検出した位置を軌跡として記憶するようにデジタイザ１２５を制御する。
【００６０】
ステップＳ４０において、制御部１１０は、加速度センサ３３０からデータを取得する。加速度センサ３３０は、光ペン３０の光軸に対する加速度のＸ軸、Ｙ軸およびＺ軸成分を検出する。制御部３３５は、検出した加速度を示す信号を、通信モジュール３２０を介して、記録装置１０に出力する。
【００６１】
ステップＳ５０において、制御部１１０は、傾きを算出する。ここでいう「傾き」とは、光ペン３０の重力の向き（鉛直下向き）に対する傾きをいう。制御部１１０は、加速度センサ３３０から出力された信号に基づいて傾きを算出する。３軸加速度センサの信号に基づく傾きの算出には、公知の技術が用いられる。
【００６２】
ステップＳ６０において、制御部１１０は、結像位置を算出する。「結像位置」とは、光ペン３０の軌跡に応じて像（追記画像）を書き込む位置、すなわち液晶層の階調を変化させる位置をいう。制御部１１０は、傾き算出（ステップＳ５０）において算出された光ペン３０の傾きと、予め設定されている厚さとを用いて結像位置を算出する。ここでいう「厚さ」は、液晶層２６５（青）に像が書き込まれる場合には、面２２ａから感光層２５５までの距離（電子ペーパ２０において、液晶層よりも表面側に位置し、その液晶層以外の他の層の厚み）をいい、液晶層２３０（赤）に像が書き込まれる場合には、面２２ａから感光層２２５までの距離をいう。「面２２ａから感光層２５５までの距離」とは、面２２ａから感光層２２５のあらかじめ決められた位置（例えば表面や中心）までの距離をいう。結像位置の算出の詳細は後述する。
【００６３】
ステップＳ７０において、制御部１１０は、ＬＣＤを制御する。制御部１１０は、光ペン３０の軌跡を示す画像を生成するように、画像処理部１７０を制御する。画像処理部１７０は、制御部１１０の制御下で、光ペン３０の軌跡を示す画像を生成する。光ペン３０の軌跡は、ステップＳ６０で算出された結像位置に対応する点を含む。この点の大きさはあらかじめ決められている。画像処理部１７０は、生成した画像データを画像バッファ１７５に出力する。
【００６４】
この例において、バックライト１８５から照射される記録光１８６は、赤色と緑色のスペクトルを含んでいる。したがって、第１の光アドレス層と第２の光アドレス層の双方に対して、追記が行われる。
【００６５】
ステップＳ８０において、制御部１１０は、終了条件が満たされたか判断する。終了条件が満たされた場合（Ｓ８０：ＹＥＳ）、制御部１１０は、図１０の処理を終了する。終了条件が満たされていない場合（Ｓ８０：ＮＯ）、制御部１１０は、処理を再びステップＳ３０に移行する。終了条件は、例えば、光ペン３０のスイッチが押されたという条件である。あるいは、例えば、光ペン３０と電子ペーパ２０の第１の面２２ａとの距離があらかじめ決められたしきい値以上になったことを、光ペン３０のセンサ３４５が検出したという条件が終了条件として用いられてもよい。
【００６６】
図１１は、検出される位置と書き込み位置とのずれの一例を示す図である。図１１は、説明の便宜のため、電子ペーパ２０において、保護層２１０，２７５、液晶層２６０、感光層２５５、透明電極２４５および透明電極２７０のみを図示している。また、記録装置１０において、デジタイザ１２５およびＬＣＤパネル１９５のみを図示している。
【００６７】
デジタイザ１２５は、光ペン３０の先端部分の位置（照射位置３６３）を光ペン３０の位置として検出する。図１１の例のように、光ペン３０が電子ペーパ２０に対して傾斜している場合（光ペン３０の光軸が電子ペーパ２０の表面の法線に対して傾いている場合）、感光層２５５において追記光３６１が照射される位置は、照射位置３６３とは異なっている。このとき、追記光３６１により像が書き込まれるのは、結像位置３６５、すなわち追記光３６１が照射された感光層２５５の低抵抗化により印加される電圧が増加するの部分である。
【００６８】
ここで、記録装置１０から軌跡の書き込みを行う場合に、照射位置３６３において書き込みを行うと、像が形成されるのは結像位置３６９（光ペン３０のペン先の、電子ペーパ２０の表面への正射影に相当する位置）であり、結像位置３６５との間でずれが生じてしまう。
【００６９】
本実施形態において、記録装置１０は、ステップＳ６０において、光ペン３０の傾きθおよび感光層２５５の厚みｄを考慮して、決像位置３６７を算出する。結像位置３６７は、結像位置３６５と一致するように算出される。表面から液晶層までの距離と光ペン３０の傾きとを考慮して結像位置を算出することにより、結像位置３６７と結像位置３６５とのずれが低減される。
【００７０】
ここで、図１０のステップＳ６０における結像位置の算出について説明する。以下の説明において、照射位置３６３、結像位置３６５、結像位置３６７、結像位置３６９を表すのにｘｙ直交座標系が用いられる。例えば、ｘ軸およびｙ軸は電子ペーパ２０の表面の法線と直交する向きに設定される。いま、照射位置３６３を、（ｘ０，ｙ０）と表す。光ペン３０の角度は、角度αと角度βとを用いて表される。角度αは、電子ペーパ２０の法線と光ペン３０の光軸との角度である。角度βは、光ペン３０の光軸のｘｙ平面上への正射影とｘ軸との角度である。また、電子ペーパ２０の第１の面２２ａから感光層２５５までの厚みはｄである。
【００７１】
制御部１１０は、デジタイザ１２５からの上記の情報を基に、結合位置３６５の座標（ｘ１、ｙ１）を次式により計算する。
ｘ１＝ｘ０＋ｄ・ｔａｎα×ｃｏｓβ
ｙ１＝ｙ０＋ｄ・ｔａｎα×ｓｉｎβ
【００７２】
２−２．光強度の制御
図１２は、参照テーブルを例示する図である。この例で、制御部１１０は、光ペン３０の傾きに応じて光強度を制御している。図１２の参照テーブルは、この制御に用いられる。参照テーブルは、例えば、制御部１１０に設けられた不揮発性メモリに記憶される。参照テーブルは、傾きと、その傾きに対応する制御パラメータを含む。制御パラメータとは、光源３５０の制御に用いられるパラメータ、例えば出力電圧値である。
【００７３】
制御部１１０は、角度αに対応するパラメータを参照テーブルから読み出す。図１２の例では、例えば、傾きが１０°以上２０°未満の場合、傾き１０°に対応するパラメータとして出力電圧１０２ｍＶが読み出される。制御部１１０は、光ペン３０の光強度を変化させる命令と、制御パラメータとを、通信Ｉ／Ｆ１２０を介して光ペン３０に出力する。光ペン３０の制御部３３５は、この命令を受けて、光強度を制御する。
【００７４】
３．他の実施形態
本発明は上述の実施形態に限定されるものではなく、種々の変形実施が可能である。以下、変形例をいくつか説明する。以下で説明する変形例のうち２つ以上のものが組み合わせて用いられてもよい。
【００７５】
３−１．変形例１
制御手段１５による光強度の制御は、実施形態で説明したものに限定されない。例えば、制御手段１５は、光ペン３０の移動速度に応じて光強度を制御してもよい。
【００７６】
図１３は、変形例１に係る光ペン３０の光出力（光強度）の特性を示す図である。図１３の縦軸は光源３５０の出力を、横軸はペン先の移動速度を示している。この例で、制御部１１０は、通信Ｉ／Ｆ１２０を介して、光ペン３０の加速度センサ３３０から出力される信号を取得する。制御部１１０は、この信号から、ペン先の移動速度を算出する。あるいは、制御部１１０は、デジタイザ１２５により取得されたペン先の位置と、その位置を取得した時刻とから、ペン先の移動速度を算出してもよい。制御部１１０は、光ペン３０が軌跡を描く速度に応じて、液晶層の単位面積あたりの光照射量があらかじめ決められた一定の値になるように、光源３５０の光強度を調整するための信号を、通信Ｉ／Ｆ１２０を介して光ペン３０に出力する。この制御により、光ペン３０により電子ペーパ２０に記録される軌跡の濃度の変動が抑制される。なお、変形例１の光強度の制御が、実施形態で説明した光強度の制御とあわせて用いられてもよい。あるいは、光強度の制御は行われず、光強度は一定であってもよい。
【００７７】
３−２．変形例２
算出手段１３による結像位置の算出方法は、実施形態で説明したものに限定されない。光ペン３０の傾きと、電子ペーパ２０の表面から液晶層（または感光層）までの距離に応じて結像位置を算出するのであれば、どのような方法が用いられてもよい。例えば、算出手段１３は、電子ペーパ２０の表面上において、光ペン３０の位置と結像位置３６５とを結ぶ線分を感光層に射影した線分上の位置を、結像位置として算出してもよい。この例によれば、光ペン３０のペン先の位置にも像が形成されるので、利用者の操作性が向上する。
【００７８】
３−３．変形例３
記録装置１０と光ペン３０との機能の分配は、実施形態で説明したものに限定されない。実施形態において記録装置１０の機能として説明されたものの一部を、光ペン３０が有していてもよい。
【００７９】
図１４は、変形例３に係る光ペン３０の機能構成を示す図である。光照射手段３１は、電子ペーパ２０に光を照射する。取得手段３２は、光照射手段３１の位置を取得する。取得手段３３は、デジタイザ１２５に相当する構成を有していてもよいし、デジタイザ１２５から（すなわち記録装置１０から）光照射手段３１の位置を示す情報を取得してもよい。取得手段３３は、光ペン３０の光軸の、電子ペーパ２０の表面に対する傾きを取得する。算出手段３４は、取得手段３２により取得された光ペン３０の位置、取得手段３３により取得された傾き、および電子ペーパ２０の表面から感光層までの距離に基づいて、結像位置を算出する。出力手段３５は、記録装置１０に対し、算出手段３４により算出された結像位置を示す情報を出力する。
【００８０】
光源３５０およびレンズ３６０は、光照射手段３１の一例である。光ペン３０の位置を取得するための命令群を実行している制御部３３５は、取得手段３２の一例である。光ペン３０の傾きを取得するための命令群を実行している制御部３３５は、取得手段３３の一例である。結像位置を算出するための命令群を実行している制御部３３５は、算出手段３４の一例である。通信モジュール３２０は、出力手段３５の一例である。
【００８１】
３−４．変形例４
図８に示される機能構成を実現するための装置構成は、図７で示されるものに限定されない。要求される機能を実現できるものであれば、どのような構成の装置が用いられてもよい。例えば、露光手段１４は、バックライト１８５およびＬＣＤパネル１９５に限定されない。発光色を変えられるバックライトと透過型モノクロ液晶パネルが、露光手段１４として用いられてもよい。光ペン３０についても同様である。実施形態において、赤色ＬＥＤと緑色ＬＥＤが、光照射手段３１として用いられたが、これに代わり、白色光源および色フィルタが光照射手段３１として用いられてもよい。
【００８２】
また、実施形態においては、制御部１１０が、取得手段１１、取得手段１２、算出手段１３および制御手段１５としての機能を兼ね備えていた。しかし、これらの機能の一部は、制御部１１０とは別のハードウェア構成要素により実現されてもよい。変形例３の制御部３３５と、制御手段３４ａ、３４ｂ、３４ｃ、３４ｄ、および調整手段３６とについても同様である。
【００８３】
３−５．変形例５
電子ペーパ２０の具体的構成は、実施形態で説明したものに限定されない。電子ペーパ２０は、例えば、一組の透明電極の間に、ＲＧＢの３つの液晶層を挟んだ構成を有していてもよい。あるいは、電子ペーパ２０は、一組の透明電極の間に１つの液晶層を挟んだ光アドレス層を複数有していてもよい。また、液晶層の数も３つに限定されない。４層以上の液晶層が用いられてもよいし、モノクロ表示の電子ペーパであれば単一の液晶層が用いられてもよい。また、液晶層のしきい値の設計も図４で例示したものに限定されない。液晶層のしきい値は、表示層の構造や駆動方法に応じて設計される。
【００８４】
３−６．変形例６
記録装置１０または光ペン３０による追記は、赤と緑の２色によるものに限定されない。ＲＧＢの３色、またはいずれかの単色の追記が行われてもよい。あるいは、記録装置１０と光ペン３０とで異なる色の追記が行われてもよい。
【符号の説明】
【００８５】
１０…記録装置、１１…取得手段、１１…筐体、１２…取得手段、１３…算出手段、１４…露光手段、１５…制御手段、２０…電子ペーパ、２１…フレーム、２２…表示体、２３…電極、２４…ＲＦタグ、３０…光ペン、３１…光照射手段、３２…取得手段、３３…取得手段、３４…算出手段、３５…出力手段、１１０…制御部、１１５…操作パネル、１２０…通信Ｉ／Ｆ、１２５…デジタイザ、１３０…ＲＦタグリーダライタ、１３５…電源、１４０…着脱センサ、１４５…電極、１５０…リアルタイムクロック、１５５…環境温度履歴記録部、１６０…環境温度センサ、１７０…画像処理部、１７５…画像バッファ、１８０…バックライト制御部、１８５…バックライト、１９０…ＬＣＤ駆動、１９５…ＬＣＤパネル、２１０…保護層、２１５…透明電極、２２５…感光層、２３０…液晶層、２３５…透明電極、２４０…絶縁層、２４５…透明電極、２５５…感光層、２６０…液晶層、２６５…液晶層、２７０…透明電極、２７５…保護層、３０５…筐体、３１０…スイッチ、３１５…バッテリ、３２０…通信モジュール、３２５…アンテナ、３３０…加速度センサ、３３５…制御部、３４０…センサ、３５０…光源、３５５…導光路、３６０…レンズ
【図１ａ】
2010231267.tif 000003
【図１ｂ】
2010231267.tif 000004
【図２】
2010231267.tif 000005
【図３】
2010231267.tif 000006
【図４】
2010231267.tif 000007
【図５】
2010231267.tif 000008
【図６】
2010231267.tif 000009
【図７】
2010231267.tif 000010
【図８】
2010231267.tif 000011
【図９】
2010231267.tif 000012
【図１０】
2010231267.tif 000013
【図１１】
2010231267.tif 000014
【図１２】
2010231267.tif 000015
【図１３】
2010231267.tif 000016
【図１４】
2010231267.tif 000017